(57)【要約】    【課題】  小さなスペースに構築することができ、多品種の素材、部品、工具等を保管するのに適した棚設備を提供する。    【解決手段】  収納棚(20)の長方形の短辺側部分の一方はパレット類(50)を棚部(22)上に搬入するための搬入口部(23)となっている一方、収納棚の長方形の長辺側部分の少なくとも一方は作業者が棚部上のパレット類をフォークリフト車両(30)のフォーク上に引き出すための引出し口部(25)となっていて、複数のうち、隣接する収納棚のライン(11)の間がフォークリフト車両を収納棚に沿って走行させ得る最小の間隔に設定され、又収納棚の棚部には搬入口部から反対側の短辺側部分に向けてパレット類を移動させるためのローラ(40)が設けられている。【選択図】  図２
2006160453.tif 000002
【特許請求の範囲】
【請求項１】
平面長方形状の複数の収納棚が相互に平行な複数のラインにレイアウトされ、上記収納棚がパレット類を載置するための棚部を有している棚設備であって、
上記収納棚の長方形の短辺側部分の一方はパレット類を棚部上に搬入するための搬入口部となっている一方、
上記収納棚の長方形の長辺側部分の少なくとも一方は作業者が棚部上のパレット類をフォークリフト車両のフォーク上に引き出すための引出し口部となっていて、上記複数のうち、隣接する収納棚のラインの間が上記フォークリフト車両を収納棚に沿って走行させ得る最小の間隔に設定され、
上記収納棚の棚部には上記搬入口部から反対側の短辺側部分に向けてパレット類を移動させるためのローラが設けられていることを特徴とする棚設備。
【請求項２】
上記収納棚の搬入口部は上記フォークリフト車両のフォークを差し込んでパレット類を棚部上に搬入し得る大きさとなっており、上記収納棚のラインの搬入口部の前方には上記フォークリフト車両にパレット類の上記棚部への搬入動作を行わせるための作業スペースが設けられている請求項１記載の棚設備。
【請求項３】
１つのラインは複数の収納棚を並べて構成され、上記ラインの搬入口部側の収納棚では搬入口部と反対側の短辺側部分は次の収納棚の搬入口部と連続する搬送口部となっている一方、
上記ラインの他端側の収納棚では搬入口部と反対側の短辺側部分はパレット類が棚部から落下するのを防止する構造となっている請求項１記載の収納棚。
【請求項４】
平面長方形状をなし、パレット類を載せるための棚部を有し、複数を相互に平行な複数のラインにレイアウトして棚設備を構成するのに用いられる収納棚であって、
長方形の短辺側部分の少なくとも一方がフォークリフト車両のフォークを差し込んでパレット類を棚部上に搬入する搬入口部となっている一方、長方形の長辺側部分の少なくとも一方は作業者が棚部上のパレット類を上記フォークリフト車両のフォーク上に引き出すための引出し口部となっており、上記棚部には上記搬入口部から反対側の短辺側部分に向けてパレット類を移動させるためのローラが設けられていることを特徴とする収納棚。
【発明の詳細な説明】
【技術分野】
【０００１】
この発明は棚設備に関し、特に小さなスペースに構築することができ、多品種の素材、部品、工具等を保管するのに適した設備に関する。
【背景技術】
【０００２】
例えば、素材、部品、工具等を保管しておく場合、素材等をコンテナに入れ、あるいはパレットに載せ、あるいは素材等を入れたコンテナをパレットに載せ、パレットやコンテナ（以下、単に「パレット類」ともいう）をフォークリフト車両を利用して持ち上げて棚設備まで運搬し、棚設備に保管することが多い。
【０００３】
この種の棚設備では複数の収納棚を相互に間隔をあけて平行にレイアウトし、隣接する収納棚の間のスペースをフォークリフト車両が通行するスペースとし、通行スペースの側からパレット類を差し入れ引き出すことが行われていた（特許文献１、特許文献２）。
【０００４】
しかし、上述の棚設備ではフォークリフト車両を収納棚の広面に対して進退させる必要があり、通行スペースが非常に大きくなってしまい、棚設備を構築するのに大きなスペースが必要となる。
【０００５】
これに対し、収納棚の長手方向の両側に搬入リフターと搬出リフターを設ける一方、各段の棚を搬入側が搬出側に比して高くなるように傾斜させ、又各段の棚にローラを設け、搬入したコンテナを自重で搬出側に移動させ、パレット等の収納と取り出しを自動的に行えるようにした棚設備が提案されている（特許文献３）。
【０００６】
また、走行経路を収納棚の広面に沿って延設し、この走行経路上にフォークリフト台車を移動可能に設け、フォークリフト台車によってコンテナ等を棚に収納し取り出すようにした棚設備も提案されている（特許文献４）。
【０００７】
【特許文献１】特公昭５２−５７４２号公報
【特許文献２】実開平０７−３１７０８号公報
【特許文献３】実用新案登録第３０３４３２７号公報
【特許文献４】特開２００１−１７１８０７号公報
【発明の開示】
【発明が解決しようとする課題】
【０００８】
しかし、上記特許文献３記載の棚設備では棚の長手方向の中間にあるコンテナを取り出そうとすると、その搬出側のコンテナを全て搬出する必要があり、多品種の素材、部品、工具等を保管するのに適さない。
【０００９】
また、特許文献４記載の棚設備では設備に沿って移動する専用のフォークリフト台車を設ける必要があり、コスト高になるという問題がある。
【００１０】
本発明はかかる問題点に鑑み、コスト高を招来することなく小さなレイアウトスペースに設備を構築することができ、しかも多品種の素材、部品、工具等を保管するのに適した棚設備を提供することを課題とする。
【課題を解決するための手段】
【００１１】
そこで、本発明に係る棚設備は、平面長方形状の複数の収納棚が相互に平行な複数のラインにレイアウトされ、上記収納棚がパレット類を載置するための棚部を有している棚設備であって、上記収納棚の長方形の短辺側部分の一方はパレット類を棚部上に搬入するための搬入口部となっている一方、上記収納棚の長方形の長辺側部分の少なくとも一方は作業者が棚部上のパレット類をフォークリフト車両のフォーク上に引き出すための引出し口部となっていて、上記複数のうち、隣接する収納棚のラインの間が上記フォークリフト車両を収納棚に沿って走行させ得る最小の間隔に設定され、上記収納棚の棚部には上記搬入口部から反対側の短辺側部分に向けてパレット類を移動させるためのローラが設けられていることを特徴とする。
【００１２】
本発明の特徴の１つは収納棚の短辺側部分を搬入口部、長辺側部分を引出し口部とし、棚部にローラを設けるようにした点にある。
【００１３】
これにより、搬入口部からパレット類を収納棚の棚部に搬入すると、パレット類をローラによって棚部の反対側に向けて移動させることができる。他方、素材、部品、工具等のワークが必要な時にはそのワークを保管したパレット類の直近までフォークリフト車両を走行させてフォークを棚部の高さに上昇させた後、作業者が引出し口部からそのパレット類をフォーク上に引き出し、フォークリフト車両を棚設備の外方まで走行させれば必要なワークを取り出すことができ、多品種の素材、部品あるいは工具等を保管するのに最適である。
【００１４】
また、収納棚のラインの間にはフォークリフト車両が走行できる幅のスペースがあればよく、小さなスペースに棚設備を構築することができる。
【００１５】
さらに、設備に沿って移動する専用のフォークリフト台車を設ける必要はなく、市販のフォークリフト車両を使用できるので、コスト高になることもない。
【００１６】
収納棚の搬入口部側には搬入リフターを設けてもよいが、パレット類の搬出にフォークリフト車両を用いているので、フォークリフト車両によってパレット類を搬入するようにするのがよい。そこで、収納棚の搬入口部はフォークリフト車両のフォークを差し込んでパレット類を棚部上に搬入し得る大きさとなし、収納棚のラインの搬入口部の前方にはフォークリフト車両にパレット類の棚部への搬入動作を行わせるための作業スペースを設けるようにするのがよい。
【００１７】
搬入口部は例えば収納棚の周囲を壁面で構成し、壁面を開口させることによって形成するようにしてもよいが、多くの収納棚が長方形状の四隅に支柱を配置しこの四隅の支柱に棚部を支持して構成されていることから、収納棚の長方形の短辺側部分の支柱の間隔を設定することによって搬入口部とするのがよい。そこで、搬入口部は収納棚の棚部を支持する支柱の間隔をフォークリフト車両のフォークを差し込んでパレット類を棚部上に搬入し得る大きさとすることによって形成されているのが好ましい。
【００１８】
棚部のローラはパレット類を搬入口部から反対側に向けて移動させることのできるローラであってもよく、さらにはこの搬入口部から反対側に向かう方向と直交する幅方向にも回転できるようなローラを用い、パレット類を引出し口部に向けて移動させることもできるようにしてもよい。
【００１９】
収納棚をレイアウトする場合、１つの収納棚で１つのラインを構成してもよく、又複数の収納棚で１つのラインを構成するようにしてもよい。この場合、１ラインに並べられた複数の収納棚の間でパレット類が移動されるように構成されるのが望ましい。そこで、１つのラインには複数の収納棚を並べ、ラインの他端側の収納棚を除く収納棚では搬入口部と反対側の短辺側部分は連続する次の収納棚の搬入口部と連続する搬送口部となす一方、ラインの他端側の収納棚では搬入口部と反対側の短辺側部分はパレット類が棚部から落下するのを防止する構造となすのがよい。
【００２０】
ここで、「パレット類」とはワークを載せたパレット、ワークを入れたコンテナ、コンテナを載せたパレットをいうが、底面が広くなって底面をフォークリフト車両のフォーク上に載せることができるワークの場合にはワーク自体をも意味するものとする。
【００２１】
また、上述の棚設備を構築するのに用いる収納棚も新規である。即ち、本発明に係る収納棚は、平面長方形状をなし、パレット類を載せるための棚部を有し、複数を相互に平行な複数のラインにレイアウトして棚設備を構成するのに用いられる収納棚であって、長方形の短辺側部分の少なくとも一方がフォークリフト車両のフォークを差し込んでパレット類を棚部上に搬入する搬入口部となっている一方、長方形の長辺側部分の少なくとも一方は作業者が棚部上のパレット類を上記フォークリフト車両のフォーク上に引き出すための引出し口部となっており、上記棚部には上記搬入口部から反対側の短辺側部分に向けてパレット類を移動させるためのローラが設けられていることを特徴とする。
【発明を実施するための最良の形態】
【００２２】
以下、本発明を図面に基づいて詳細に説明する。図１及び図２は本発明に係る棚設備の好ましい実施形態を示す。図において、例えば倉庫の床面上に複数の収納棚２０を複数ライン、例えば４ライン１１に配列して棚設備１０が構成され、棚設備１０の各ライン１１は２つの収納棚２０を１列に並べて構成され、隣接する２つのライン１１の間はフォークリフト車両３０が通行し得る最小間隔の通行スペース１２となっている。
【００２３】
収納棚２０は長方形の四隅に支柱２１をレイアウトし４本の支柱２１に棚部２２を上下３段に支持して構成され、収納棚２０の長方形の短辺側部分の一方は支柱２１の間隔をパレット５０の幅Ｌよりも大きく設定することによってパレット５０を棚部２２上に搬入し得る搬入口部２３、長方形の短辺側部分の他方はライン１１の次の収納棚２０の搬入口部２３に連続する搬送口部２４となっており、又ライン１１の次の収納棚２０の長方形の短辺側部分の他方はパレット（パレット類）５０が落下しないように支柱２１の間にフレーム（図示せず）等が掛け渡されている。
【００２４】
また、収納棚２０の長方形の長辺側部分の両方は棚部２２上のパレット類５０を引き出すための引出し口部２５となっている。
【００２５】
さらに、収納棚２０の棚部２２には左右一対のローラコンベア４０が載せられて固定され、ローラコンベア４０は左右のフレームの間に複数のフリーローラを前後方向に並べて支持して構成され、棚部２２上に搬入されたパレット類５０を搬入口部２３から反対側に向けて移動させることができるようになっている。
【００２６】
また、収納棚２０の搬入口部２３の前方にはフォークリフト車両３０にパレット類５０の棚部２２への搬入動作を行わせるための作業スペース１３が設けられている。
【００２７】
フォークリフト車両３０は前方に突出させた一対のフォークを支柱に沿って上下動させることのできる通常のタイプのものが用いられている。
【００２８】
素材、部品、工具等のワークを棚設備１０に保管する場合、ワークをパレット５０の上に載せ、あるいはワークをコンテナに入れてパレット５０の上に載せ、このパレット５０をフォークリフト車両３０のフォークによって持ち上げる。
【００２９】
このフォークリフト車両３０を棚設備１０の作業スペース１３まで走行させ、作業スペース１３において保管すべき収納棚２０のラインまで走行させ、フォークリフト車両３０のフォークをその収納棚２０の保管すべき棚部２２の高さまで上昇又は下降させ、図１に示すようにパレット５０を搬入口部２３から棚部２２上に搬入する。
【００３０】
その後、パレット５０をローラコンベア４０によって搬入口部２３から反対側に向けて移動させ、適当なところで止めて保管すればよい。
【００３１】
必要なワークを棚設備１０から取り出す場合、図１に示されるように、フォークリフト車両３０を必要なワークを保管した収納棚２０に沿った通行スペース１２に入り込ませてワークの近くまで走行させて停止させ、フォークをワークを保管した棚部２２の高さまで上昇又は下降させ、作業者がパレット５０を引出し口部２５からフォーク上に引き出してフォークに載せ、フォークリフト車両３０を通行スペース１２から外方に走行させればよい。
【００３２】
なお、上記ではパレット５０を収納棚２０の搬入口部２３から棚部２２上に搬入するようにしたが、必要に応じて引出し口部２５から棚部２２上に搬入し、引出し口部２５から引き出すようにすることもできる。
【００３３】
図３は第２の実施形態を示し、図において図１及び図２と同一符号は同一又は相当部分を示す。本例では６つのライン１１のうち、中央の４つのライン１１を２つずつ接近して並べ、通行スペース１２を少なくするようにしている。このように収納棚２０をレイアウトしてライン１１を構成することもできる。
【図面の簡単な説明】
【００３４】
【図１】本発明に係る棚設備の好ましい実施形態を示す概略平面構成図である。
【図２】上記実施形態における収納棚の構造例を示す概略斜視図である。
【図３】第２の実施形態を示す概略平面構成図である。
【符号の説明】
【００３５】
１０      棚設備
１１      ライン
１２      通行スペース
１３      作業スペース
２０      収納棚
２１      支柱
２２      棚部
２３      搬入口部
２４      搬送口部
２５      引出し口部
３０      フォークリフト車両
４０      ローラコンベア（ローラ）
５０      パレット（パレット類）
【図１】
2006160453.tif 000003
【図２】
2006160453.tif 000004
【図３】
2006160453.tif 000005